【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
クライアント装置とサーバ装置との間のインターネット通信を開始する方法であって：
前記クライアント装置と前記サーバ装置は，ファイアウォール又はＮＡＴによって互いに隔てられており；
前記サーバ装置は，前記クライアント装置に前記インターネット以外の通信プロトコルを介して，前記ファイアウォール又はＮＡＴルータを回避して伝送されるメッセージを生成し；
前記クライアント装置は，前記メッセージを受けて，前記サーバ装置に対するインターネット又は同様の接続を，前記ファイアウォール又は前記ＮＡＴルータを介して開始することを特徴とする通信開始方法。
【請求項２】
前記サーバ装置は，まず，前記インターネット又は同様の通信網を介して認可ポータルに前記メッセージを伝送し，前記認可ポータルは前記インターネット以外の通信プロトコルを介して前記クライアント装置に前記メッセージを中継することを特徴とする，請求項１に記載の通信開始方法。
【請求項３】
前記認可ポータルは，クライアント識別子，認可ポータル識別子及び繰り返さない値からなる群から選択された少なくとも１つのデータを付加して前記メッセージを前記クライアント装置に中継することを特徴とする，請求項１又は２に記載の通信開始方法。
【請求項４】
前記認可ポータルは，前記メッセージに電子署名を付加して前記クライアント装置に中継することを特徴とする，請求項１〜３のいずれか１項に記載の通信開始方法。
【請求項５】
前記インターネット以外の通信プロトコルは，ＧＳＭ  ＳＭＳ，ＥＲＭＥＳ，ＲＤＳ，ＬＷ無線，他のＲＦ信号，及びＶＰＮ上で通信されるＵＤＰからなる群から選択されることを特徴とする，請求項１〜４のいずれか１項に記載の通信開始方法。
【請求項６】
サーバ装置から伝送されるメッセージを受信した後に前記サーバ装置とインターネット接続を確立するクライアント装置であって：
前記メッセージをインターネット以外の通信プロトコルを介して受信し；
ファイアウォール又はＮＡＴルータによって前記サーバ装置と隔てられており；
前記サーバ装置に対するインターネット又は同様の接続を，前記ファイアウォール又は前記ＮＡＴルータを介して開始することを特徴とするクライアント装置。
【請求項７】
認可ポータルから前記インターネット以外の通信プロトコルを介してメッセージを受信する受信手段を備え；
前記メッセージは，まず，インターネット又は同様の通信網を介して前記サーバ装置から前記認可ポータルに送信されることを特徴とする，請求項６に記載のクライアント装置。
【請求項８】
前記メッセージの受信後に前記サーバ装置とインターネット接続を確立するためのモデムを備えることを特徴とする，請求項６又は７に記載のクライアント装置。
【請求項９】
インターネット以外の通信プロトコルを介してクライアント装置に伝送されるメッセージを生成するサーバ装置であって：
ファイアウォール又はＮＡＴルータによって前記クライアント装置と隔てられており；
前記クライアント装置により，前記メッセージ受信後に，インターネット又は同様の接続が，前記ファイアウォール又は前記ＮＡＴルータを介して開始されることを特徴とする，サーバ装置。
【請求項１０】
インターネット又は同様の通信網を介して認可ポータルにメッセージを送信し；
前記メッセージは，前記認可ポータルにより，前記インターネット以外の通信プロトコルを介して前記クライアント装置に中継されることを特徴とする，請求項９に記載のサーバ装置。
【請求項１１】
少なくともクライアント装置及びサーバ装置を備えるシステムにおいて：
前記クライアント装置と前記サーバ装置は，ファイアウォール又はＮＡＴによって互いに隔てられており；
前記サーバ装置は，前記クライアント装置に前記インターネット以外の通信プロトコルを介して，前記ファイアウォール又はＮＡＴルータを回避して伝送されるメッセージを生成し；
前記クライアント装置は，前記メッセージを受けて，前記サーバ装置に対するインターネット又は同様の接続を，前記ファイアウォール又は前記ＮＡＴルータを介して開始することを特徴とするシステム。
【請求項１２】
前記サーバ装置により前記インターネット又は同様の通信網を介して送信されるメッセージを受信し，前記インターネット以外の通信プロトコルを介して前記クライアント装置に前記メッセージを中継する認可ポータルをさらに備えることを特徴とする，請求項１１に記載のシステム。
【請求項１３】
前記認可ポータルは，前記クライアント装置に前記メッセージを中継する際に，クライアント識別子，認可ポータル識別子，及び繰り返さない値からなる群から選択される少なくとも１つのデータを前記メッセージに付加することを特徴とする，請求項１２に記載のシステム。
【請求項１４】
前記認可ポータルは，前記クライアント装置に前記メッセージを中継する際に，前記メッセージに電子署名を付加することを特徴とする，請求項１２又は１３に記載のシステム。
【請求項１５】
前記インターネット以外の通信プロトコルは，ＧＳＭ  ＳＭＳ，ＥＲＭＥＳ，ＲＤＳ，ＬＷ無線，他のＲＦ信号，及びＶＰＮ上で通信されるＵＤＰからなる群から選択されることを特徴とする，請求項１２〜１４のいずれか１項に記載のシステム。
【請求項１６】
所定のサーバ装置からの信号を受けてインターネット以外の通信プロトコルを介して所定のクライアント装置へメッセージを転送し；
前記クライアント装置および前記サーバ装置はファイアウォール又はＮＡＴによって互いに隔てられており；
前記クライアント装置は，前記メッセージを受けて，前記サーバ装置に対するインターネット又は同様の接続を，前記ファイアウォール又は前記ＮＡＴルータを介して開始することを特徴とする，認可ポータル。
【請求項１７】
前記サーバ装置から前記インターネット又は同様の通信網を介して前記信号を受信し，前記クライアント装置に前記インターネット以外の通信プロトコルを介して前記メッセージを伝送することを特徴とする，請求項１６に記載の認可ポータル。
【請求項１８】
前記クライアント装置に前記メッセージを伝送する際に，クライアント識別子，認可ポータル識別子，及び繰り返さない値からなる群から選択される少なくとも１つのデータを前記メッセージに付加することを特徴とする，請求項１６又は１７に記載の認可ポータル。
【請求項１９】
前記クライアント装置に前記メッセージを伝送する際に，前記メッセージに電子署名を付加することを特徴とする，請求項１６〜１８のいずれか１項に記載の認可ポータル。
【請求項２０】
前記インターネット以外の通信プロトコルは，ＧＳＭ  ＳＭＳ，ＥＲＭＥＳ，ＲＤＳ，ＬＷ無線，他のＲＦ信号，及びＶＰＮ上で通信されるＵＤＰからなる群から選択されることを特徴とする，請求項１６〜１９のいずれか１項に記載の認可ポータル。
【請求項２１】
前記インターネット以外の通信プロトコルを用いて，クライアント識別子とメッセージ伝送アドレスとをマッピングしているデータベースにアクセスすることを特徴とする，請求項１６〜２０のいずれか１項に記載の認可ポータル。
【請求項２２】
実質的には添付の図３及び図４に基づいて下記に説明される，クライアント装置とサーバ装置との間でのインターネット通信開始方法。
【請求項２３】
実質的には添付の図３及び図４に基づいて下記に説明される，クライアント装置。
【請求項２４】
実質的には添付の図３及び図４に基づいて下記に説明される，サーバ装置。
【請求項２５】
少なくともクライアント装置及びサーバ装置を備え，実質的には添付の図３及び図４に基づいて下記に説明される，システム。
【請求項２６】
実質的には添付の図３及び図４に基づいて下記に説明される，認可ポータル。